(57)【要約】【課題】制御ボックスへの粉塵の流入を防ぎ、安定した冷却効果を維持できる乾燥装置を備えた印刷機を提供することをその課題とする。【解決手段】乾燥装置２００はランプユニット２１０と制御ボックス２２０を有している。制御ボックス２２０にはコンプレッサ１６が接続されており、また、制御ボックス２２０内には圧力センサが設けられている。制御部８０は圧力センサの検知情報により制御ボックス２２０内の気圧を外部よりも高くすべく、コンプレッサ１６の駆動を制御する。 【選択図】  図２
2015199202.tif 000002
【特許請求の範囲】
【請求項１】
印刷用紙を印刷する印刷部と、該印刷用紙を乾燥させる乾燥装置とを備え、該乾燥装置は照射部と該照射部を制御する制御ボックスとを有し、該印刷部及び該乾燥装置を制御する制御部を備えた印刷機において、
該制御部は該制御ボックス内の気圧を外部よりも高く制御することを特徴とする印刷機。
【請求項２】
該制御ボックスに接続された送風手段を有し、該制御部は該送風手段の駆動を制御することを特徴とする請求項１記載の印刷機。
【請求項３】
該制御ボックス内に圧力センサを有し、該制御部は該圧力センサの検知情報により該制御ボックス内の気圧を制御することを特徴とする請求項１または２記載の印刷機。
【請求項４】
該制御ボックス内には該送風手段からの冷却風を拡散させる拡散手段を設けたことを特徴とする請求項２または３記載の印刷機。
【請求項５】
該送風手段からの冷却風は外気よりも低湿かつ低温であることを特徴とする請求項２〜４記載の印刷機。
【発明の詳細な説明】
【技術分野】
【０００１】
本発明は印刷機に関し、特に印刷された印刷用紙に対し、紫外線や赤外線を照射して乾燥させる乾燥装置を備えた印刷機に関するものである。
【背景技術】
【０００２】
給紙部により給紙された印刷用紙に印刷部で印刷を行い、印刷用紙を乾燥装置で乾燥させる印刷機が知られている。例えば特許文献１にはこのような印刷機の開示がある。特許文献１によると、間仕切り部材の設置により印刷部を囲み、間仕切り部材内の気圧を外部よりも高くすることにより、熱やごみの流入を防ぐように構成されている。
【先行技術文献】
【特許文献】
【０００３】
【特許文献１】特開平１１−２５４６４０号公報
【発明の概要】
【発明が解決しようとする課題】
【０００４】
ところでこのような乾燥装置を有する印刷機においては、印刷機内に配置された照射部と接続され、印刷機近傍に配置される制御ボックスを備えたものがある。この制御ボックスは、印刷機全体を制御する制御部の指示により、照射部による紫外線等の照射を制御する機能を有し、照射部に電力を供給する複数の電源や基盤等を備えている。
【０００５】
照射部の電源をＯＮ−ＯＦＦ制御する制御ボックスは発熱するので、制御ボックス内には冷却機構を備えている。すなわち、制御ボックス内に配置されたファンにより、外部から吸気口を通してボックス内に冷却風を取り込み、排気口を通して暖められた冷却風を排出するように構成されている。
【０００６】
一方、印刷機は印刷作業による紙粉や印刷後の用紙へ吹付けるパウダー等の粉塵が発生し、これが印刷機外へも流出する。そして印刷機近傍へ配置された制御ボックスが冷却風を取込む際にこの粉塵を取込み、制御ボックス内に粉塵が充満して基盤等の冷却効果が損なわれる可能性があり、改善の余地があった。
【０００７】
本発明はこのような問題を解決するためになされたもので、その目的は、制御ボックスへの粉塵の流入を防ぎ、安定した冷却効果を維持できる乾燥装置を備えた印刷機を提供することである。
【課題を解決するための手段】
【０００８】
本発明は上記目的を達成するため、印刷用紙を印刷する印刷部Ｂと、該印刷用紙を乾燥させる乾燥装置２００とを備え、該乾燥装置２００は照射部２１０と該照射部を制御する制御ボックス２２０とを有し、該印刷部Ｂ及び該乾燥装置２２０を制御する制御部８０を備えた印刷機において、該制御部８０は該制御ボックス２２０内の気圧を外部よりも高く制御することを特徴とする。
【０００９】
また、該制御ボックス２２０に接続された送風手段１６を有し、該制御部８０は該送風手段１６の駆動を制御することを特徴とする。
【００１０】
また、該制御ボックス２２０内に圧力センサを有し、該制御部８０は該圧力センサの検知情報により該制御ボックス２２０内の気圧を制御することを特徴とする。
【００１１】
また、該制御ボックス２２０内には該送風手段１６からの冷却風を拡散させる拡散手段２２３を設けたことを特徴とする。
【００１２】
また、該送風手段１６からの冷却風は外気よりも低湿かつ低温であることを特徴とする。
【発明の効果】
【００１３】
本発明の印刷機においては、制御ボックス内の気圧を外部よりも高くすることにより、制御ボックスへの粉塵の流入を防ぎ、乾燥装置の安定した冷却効果を維持することができる。
【００１４】
また、制御ボックスに接続された送風手段を設けることにより、清浄な冷却風を制御ボックス内に送り込むことができる。
【００１５】
また、制御ボックス内に圧力センサを設けることにより、制御ボックス内の気圧制御を自動的に行うことができる。
【００１６】
また、制御ボックス内に拡散手段を設けることにより、冷却風をボックス内に均一に拡散させて安定した冷却効果を得ることができる。
【００１７】
また、冷却風を外気よりも低湿かつ低温にすることにより、粉塵等が蓄積するのを防ぎ、安定した冷却効果を維持することができる。
【図面の簡単な説明】
【００１８】
【図１】本発明に係る乾燥装置を備えた印刷機の概略断面側面図である。
【図２】（ａ）はランプユニット、制御ボックス、コンプレッサを示す概略図であり、（ｂ）はランプユニットの図２（ａ）中Ｄ矢視概略断面図である。
【図３】制御部を示すブロック図である。
【発明を実施するための形態】
【００１９】
次に本発明を実施するための形態について図面を参照して説明する。
【００２０】
図１は本発明に係る乾燥装置を供えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙を送り出すための給紙部Ａと、この給紙部Ａからの枚葉紙に印刷を行うための印刷部Ｂと、枚葉紙を排紙するための排紙部Ｃを備えている。ここで印刷部Ｂは、５色の印刷が行えるように５台の印刷ユニット５を備えた印刷部Ｂとしているが、５色以外の色、つまり１色又は２色以上の印刷が行える印刷部であってもよい。又、印刷機を構成する各部の具体的な構成は図に示されるものに限定されるものではない。
【００２１】
前記印刷ユニット５は、版胴１とゴム胴２とインキローラ群４、そして圧胴３と渡し胴６とを備えている。図示していないが、圧胴３のそれぞれには、送り出されてきた枚葉紙を爪台と爪とで把持するグリッパを、円周方向の２箇所（１箇所又は３箇所以上でもよい）に備えている。符号７は給紙胴であり、フィーダーボード８、口板９上を搬送される枚葉紙をスイングアーム１０から受け取り、圧胴３に渡す役割を果たす。給紙胴７、スイングアーム１０にも前記の爪台と爪が設けられている。
【００２２】
排紙部Ｃは２つの排紙胴とグリッパを備えるチェーン搬送装置にて構成されている。すなわち、最終印刷ユニット５の圧胴３に隣接した第１排紙胴１１と、これに隣接した第２排紙胴１２が設けられ、そして枚葉紙の搬送方向前側（上流側）に設けられたスプロケット１３と枚葉紙の搬送方向後側（下流側）に設けられたスプロケット１４に無端状のチェーン１５が巻回されており、スプロケット１３、１４の回転により、図示しないチェーンガイドに規制された状態でチェーン１５は周回する。
【００２３】
図１、２に示すように、排紙部Ｃには乾燥装置２００が設けられており、乾燥装置２００は本発明における照射部であるランプユニット２１０と制御ボックス２２０により構成されている。ランプユニット２１０は具体的には紫外線照射部であり、排紙部Ｃ内の第２排紙胴１２の搬送方向前側に固定され、第２排紙胴１２上を搬送される枚葉紙に紫外線を照射する。
【００２４】
ランプユニット２１０は、枚葉紙の表面にほぼ直交する方向に照射軸を有する複数の発光ダイオード２１２を備えている。具体的には、ランプユニット２１０のケース２１１内に、枚葉紙の幅方向に沿って一直線上に所定間隔（等間隔）をおいた発光ダイオード２１２が複数列（本実施例では３列）配置され、枚葉紙の幅方向全域に渡って紫外線を照射できるようになっている（図２（ｂ）はランプユニット２１０のＤ矢視外略図である）。発光ダイオード２１２はケース２１１に固定された石英ガラス２１３を通して紫外線を照射可能になっている。また、ランプユニット２１０には図示しない冷却装置が取り付けられている。なお、符号２１４はケース２１１に固定された取っ手である。
【００２５】
制御ボックス２２０は排紙部Ｃ近傍に設置されており、内部に複数の図示しない電源を有しており、該電源が複数の電源コード２７（本実施例では２本）を介してランプユニット２１０と接続するための接続口２２１が設けられている。電源コード２７は発光ダイオード２１２に電力を供給する。また、制御ボックス２２０内には図示しない基盤が設けられており、発光ダイオード２１２への電力供給のＯＮ−ＯＦＦや電力供給量を制御する。また、制御ボックス２２０内には複数の吹出し口２２３ａを有する一対の板状体２２３が設けられている。板状体２２３が本発明における拡散手段である。なお、符号２２２は制御ボックス２２０の移動用の車輪である。
【００２６】
排紙部Ｃ近傍には本発明における送風手段としてのコンプレッサ１６が設けられている。コンプレッサ１６は分配器２２、２３を介してランプユニット２１０及び制御ボックス２２０とエア管２１により接続されている。符号２４、２５はエア管２１内のエアの流通を調整、遮断するバルブである。また、制御ボックス２２０内には複数の図示しない圧力センサが設けられており、圧力センサは後述する制御部８０とコード２６にて接続されている。
【００２７】
図３は本発明に係る制御部８０の構成を示す概略ブロック図であり、制御部８０には、前述の給紙部Ａ、印刷部Ｂ、排紙部Ｃ、コンプレッサ１６、乾燥装置２００の制御ボックス２２０（ランプユニット２１０）が接続されている。制御部８０は、演算処理等を行うマイクロプロセッサ８１(シーケンサでもよい)、データ及び所定のプログラム（演算式あるいはテーブル等）を記憶するＲＯＭ８２、機械回転数等に関する種々の情報を記憶可能なＲＡＭ８３を備えるとともに、マイクロプロセッサ８１と制御部８０の外部に設けられた装置（全ては図示せず）との間における各種信号のやりとりを仲介するインターフェイス８４等を備えて構成されている。
【００２８】
このように構成された印刷機における乾燥装置の動作について説明する。印刷作業時において、給紙部Ａから搬送され、印刷部Ｂにより印刷が行われた枚葉紙は排紙部Ｃの第２排紙胴１２上で乾燥装置２００のランプユニット２１０により、表面に付着したインクが乾燥硬化される。ランプユニット２１０の発光ダイオード２１２による紫外線照射量やＯＮ−ＯＦＦ等については、オペレータによる図示しない操作画面の操作等により、制御部８０が指示する制御情報を基にして制御ボックス２２０が行う。
【００２９】
制御ボックス２２０に接続されたコンプレッサ１６は、エア管２１を介して制御ボックス２２内に冷却風を送り込み、制御ボックス２２０内部の図示しない電源や基盤を冷却する。この時、エア管２１を介して図２（ａ）中左右方向から流入する冷却風は、制御ボックス２２０内で板状体２２３に仕切られた空間に流れ込み、複数の吹出し口２２３ａから放出される。よって、冷却風が均一に制御ボックス２２０内に拡散し、安定した冷却効果を維持することができる。制御ボックス２２０内に拡散した冷却風は図示しない排気口から外部に放出されるが、排気口を設けず、制御ボックス２２０の各部に存在する隙間から放出してもよい。
【００３０】
そして制御ボックス２２０内の図示しない圧力センサの検知情報により、制御部８０は制御ボックス２２０内の圧力を外部よりも高い状態にすべく、バルブ２５を制御してコンプレッサ１６の冷却風量を調整する。このようにすることにより制御ボックス２２０内の圧力を自動的に常時高く維持し続けることが可能となり、粉塵等が制御ボックス２２０内に流入するのを防ぎ、安定した冷却効果を保ち続けることができる。なお、コンプレッサ１６からの冷却風は外気よりも低湿かつ低温とし、制御ボックス２２０内に粉塵等が蓄積するのを防ぎ、安定した冷却効果を維持するようにしている。
【００３１】
コンプレッサ１６の冷却風はエア管２１を介してランプユニット２１０にも流入する。具体的には図２（ａ）の通り、ケース２１１の長手方向の一側端面にエア管２１が接続され、冷却風はケース２１１の長手方向に沿って流入する。流入した冷却風はケース２１１の各部に存在する隙間から外部に放出される。このようにすることにより、ランプユニット２１０のケース２１１内の圧力を外部よりも高くすることができ、粉塵等がランプユニット２１０内に流入して発光ダイオード２１２に付着するのを防ぎ、安定した乾燥効果を維持することができる。
【００３２】
尚、本発明は、前記実施形態に限定されるものではなく、本発明の要旨を逸脱しない範囲で種々の変更が可能である。例えば前述の実施形態では、照射部として発光ダイオードが用いられたが、これに限らず、水銀灯で構成された照射部を用いてもよい。また、前述の実施形態では、送風手段としてコンプレッサが用いられたが、圧縮空気に限らず、ブロアを用いてもよい。他に、制御ボックス２２０内には圧力センサに加え、ボックス内の温度を管理する温度センサを設けてもよい。また、前述の実施形態では、枚葉オフセット印刷機であったが、これに限定されず、乾燥装置を備えた印刷機であれば輪転紙印刷機やグラビア印刷機やフレキソ印刷機のようなものであってもよい。
【産業上の利用可能性】
【００３３】
本発明に係る印刷機は、乾燥装置を有する印刷機において極めて有用である。
【符号の説明】
【００３４】
５…印刷ユニット、１６…コンプレッサ、２１…エア管、２２、２３…分配器、２４、２５…バルブ、２６…コード、２７…電源コード、８０…制御部、２００…乾燥装置、２１０…ランプユニット、２１１…ケース、２１２…発光ダイオード、２２０…制御ボックス、２２３…板状体、Ａ…給紙部、Ｂ…印刷部、Ｃ…排紙部、
【図１】
2015199202.tif 000003
【図２】
2015199202.tif 000004
【図３】
2015199202.tif 000005